(57)【要約】【課題】  マニピュレータにより試料に対して刺激を与え、さらに膜を介して一次線を照射して試料の検査を行う際に、マニピュレータにより膜が破損されることのない試料検査装置及び試料検査方法を提供する。【解決手段】  本発明における試料検査装置は、膜３２を介して試料２０に一次線７を照射する一次線照射手段１と、信号検出手段４と、試料２０に接近又は接触可能な先端部を具備するマニピュレータ２６と、膜３２の位置を測定する測定手段と、一次線照射手段１、信号検出手段４、マニピュレータ２６及び測定手段の各動作を制御する制御手段２８とを有し、測定手段による測定結果に基づいて、マニピュレータ２６の先端部による膜３２への接触の回避、又は当該接触時におけるマニピュレータ２６の動作制限が行われるように制御手段２８がマニピュレータ２６の動作を制御する。【選択図】図１
2008180521.tif 000002
【特許請求の範囲】
【請求項１】
膜を介して試料に一次線を照射する一次線照射手段と、該一次線の照射に応じて該試料から発生する二次的信号を検出する信号検出手段と、該試料に接近又は接触可能な先端部を具備するマニピュレータと、該膜の位置を測定する測定手段と、該一次線照射手段、該信号検出手段、該マニピュレータ及び該測定手段の各動作を制御する制御手段とを有し、該測定手段による測定結果に基づいて、該マニピュレータの先端部による該膜への接触の回避、又は当該接触時における該マニピュレータの動作制限が行われるように該制御手段が該マニピュレータの動作を制御することを特徴とする試料検査装置。
【請求項２】
第１の面に試料が保持される膜と、該膜の第２の面に接する雰囲気を減圧する真空室と、該真空室に接続され、該膜を介して該試料に一次線を照射する一次線照射手段と、該一次線の照射に応じて該試料から発生する二次的信号を検出する信号検出手段と、該試料に接近又は接触可能な先端部を具備するマニピュレータと、該膜の位置を測定する測定手段と、該一次線照射手段、該信号検出手段、該マニピュレータ及び該測定手段の各動作を制御する制御手段とを有し、該測定手段による測定結果に基づいて、該マニピュレータの先端部による該膜への接触の回避、又は当該接触時における該マニピュレータの動作制限が行われるように該制御手段が該マニピュレータの動作を制御することを特徴とする試料検査装置。
【請求項３】
膜を介して試料に一次線を照射する一次線照射手段と、該一次線の照射に応じて該試料から発生する二次的信号を検出する信号検出手段と、該試料に接近又は接触可能な先端部を具備するマニピュレータと、該マニピュレータの先端部と該膜との間における電気的物理量（電圧値、電流値又は抵抗値）の検出を行う検出手段と、該一次線照射手段、該信号検出手段、該マニピュレータ及び該検出手段の各動作を制御する制御手段とを有し、該検出手段による検出結果に基づいて、該マニピュレータの先端部による該膜への接触の回避、又は当該接触時における該マニピュレータの動作制限が行われるように該制御手段が該マニピュレータの動作を制御することを特徴とする試料検査装置。
【請求項４】
第１の面に試料が保持される膜と、該膜の第２の面に接する雰囲気を減圧する真空室と、該真空室に接続され、該膜を介して該試料に一次線を照射する一次線照射手段と、該一次線の照射に応じて該試料から発生する二次的信号を検出する信号検出手段と、該試料に接近又は接触可能な先端部を具備するマニピュレータと、該マニピュレータの先端部と該膜との間における電気的物理量（電圧値、電流値又は抵抗値）の検出を行う検出手段と、該一次線照射手段、該信号検出手段、該マニピュレータ及び該検出手段の各動作を制御する制御手段とを有し、該検出手段による検出結果に基づいて、該マニピュレータの先端部による該膜への接触の回避、又は当該接触時における該マニピュレータの動作制限が行われるように該制御手段が該マニピュレータの動作を制御することを特徴とする試料検査装置。
【請求項５】
前記膜において前記試料が位置する側の面（第１の面）が導電性を有することを特徴とする請求項３又は４記載の試料検査装置。
【請求項６】
前記膜において前記試料が位置する側の面（第１の面）が該膜の上面となっており、当該面の反対側の面（第２の面）が該膜の下面となっていることを特徴とする請求項１乃至５何れか記載の試料検査装置。
【請求項７】
前記測定手段又は前記検出手段による測定又は検出結果に基づいて、前記マニピュレータの先端部と前記膜とが所定距離以下に接近したことを検知したときには、該制御手段は、該マニピュレータの動作制限又は警報発信を行うことを特徴とする請求項１乃至６何れか記載の試料検査装置。
【請求項８】
前記膜と前記一次線照射手段との間の空間を仕切るための開閉バルブ手段をさらに有し、前記測定手段又は前記検出手段による測定又は検出結果に基づいて、前記マニピュレータの先端部と前記膜とが所定距離以下に接近したことを検知したときには、該制御手段は、該開閉バルブ手段を駆動して当該空間を仕切ることを特徴とする請求項１乃至７何れか記載の試料検査装置。
【請求項９】
光学像取得手段をさらに有し、該光学像取得手段と前記一次線照射手段とが、前記膜を間に介して対向配置されていることを特徴とする請求項１乃至８何れか記載の試料検査装置。
【請求項１０】
前記光学像取得手段により前記膜の位置測定が可能であることを特徴とする請求項９記載の試料検査装置。
【請求項１１】
前記マニピュレータにより、前記試料に対する接触動作又は吸引動作、前記試料への液体の供給又は排出、若しくは前記試料への電気供給のうちの少なくとも一つを行うことを特徴とする請求項１乃至１０何れか記載の試料検査装置。
【請求項１２】
前記膜は、ポリマー、ポリエチレン、ポリイミド、ポリプロピレン、カーボン、酸化シリコン、窒化シリコン、若しくは窒化ボロンのうちの少なくとも一つを含み、その膜厚が１０〜１０００ｎｍの範囲にあることを特徴とする請求項１乃至１１何れか記載の試料検査装置。
【請求項１３】
前記一次線は電子線又はイオンビームであり、前記二次的信号は、反射電子、二次電子、吸収電流、カソードルミネッセンス光、若しくはＸ線のうちの少なくとも一つであることを特徴とする請求項１乃至１２何れか記載の試料検査装置。
【請求項１４】
請求項１乃至１３何れか記載の試料検査装置を用いて試料の検査を行うことを特徴とする試料検査方法。
【請求項１５】
膜を介して試料に一次線を照射する工程と、該一次線の照射に応じて該試料から発生する二次的信号を検出する工程と、マニピュレータの先端部を該試料に接近又は接触させる工程とを有する試料検査方法であって、該膜の位置を測定し、該測定の測定結果に基づいて、該マニピュレータの先端部による該膜への接触の回避、又は当該接触時における該マニピュレータの動作制限が行われるように該マニピュレータの動作を制御することを特徴とする試料検査方法。
【請求項１６】
膜の第１の面に試料を保持させる工程と、該膜の第２の面に接する雰囲気を減圧する工程と、該膜を介して該試料に一次線を照射する工程と、該一次線の照射に応じて該試料から発生する二次的信号を検出する工程と、マニピュレータの先端部を該試料に接近又は接触させる工程とを有する試料検査方法であって、該膜の位置を測定し、該測定の測定結果に基づいて、該マニピュレータの先端部による該膜への接触の回避、又は当該接触時における該マニピュレータの動作制限が行われるように該マニピュレータの動作を制御することを特徴とする試料検査方法。
【請求項１７】
光学顕微鏡により前記膜の位置を測定することを特徴とする請求項１５又は１６記載の試料検査方法。
【請求項１８】
膜を介して試料に一次線を照射する工程と、該一次線の照射に応じて該試料から発生する二次的信号を検出する工程と、マニピュレータの先端部を該試料に接近又は接触させる工程とを有する試料検査方法であって、該マニピュレータの先端部と該膜との間における電気的物理量（電圧値、電流値又は抵抗値）の検出を行い、該検出による検出結果に基づいて、該マニピュレータの先端部による該膜への接触の回避、又は当該接触時における該マニピュレータの動作制限が行われるように該マニピュレータの動作を制御することを特徴とする試料検査方法。
【請求項１９】
膜の第１の面に試料を保持させる工程と、該膜の第２の面に接する雰囲気を減圧する工程と、該膜を介して該試料に一次線を照射する工程と、該一次線の照射に応じて該試料から発生する二次的信号を検出する工程と、マニピュレータの先端部を該試料に接近又は接触させる工程とを有する試料検査方法であって、該マニピュレータの先端部と該膜との間における電気的物理量（電圧値、電流値又は抵抗値）の検出を行い、該検出による検出結果に基づいて、該マニピュレータの先端部による該膜への接触の回避、又は当該接触時における該マニピュレータの動作制限が行われるように該マニピュレータの動作を制御することを特徴とする試料検査方法。
【請求項２０】
前記膜において前記試料が位置する側の面（第１の面）が導電性を有することを特徴とする請求項１８又は１９記載の試料検査方法。
【請求項２１】
前記膜において前記試料が位置する側の面（第１の面）が該膜の上面となっており、当該面の反対側の面（第２の面）が該膜の下面となっていることを特徴とする請求項１５乃至２０何れか記載の試料検査装置。
【請求項２２】
前記測定又は前記検出による測定又は検出結果に基づいて、前記マニピュレータの先端部と前記膜とが所定距離以下に接近したことを検知したときには、該マニピュレータの動作制限又は警報発信を行うことを特徴とする請求項１５乃至２１何れか記載の試料検査方法。
【請求項２３】
前記測定又は前記検出による測定又は検出結果に基づいて、前記マニピュレータの先端部と前記膜とが所定距離以下に接近したことを検知したときには、該膜と一次線照射手段との間の空間を仕切ることを特徴とする請求項１５乃至２２何れか記載の試料検査方法。
【請求項２４】
前記マニピュレータにより、前記試料に対する接触動作又は吸引動作、前記試料への液体の供給又は排出、若しくは前記試料への電気供給のうちの少なくとも一つを行うことを特徴とする請求項１５乃至２３何れか記載の試料検査方法。
【請求項２５】
前記膜は、ポリマー、ポリエチレン、ポリイミド、ポリプロピレン、カーボン、酸化シリコン、窒化シリコン、若しくは窒化ボロンのうちの少なくとも一つを含み、その膜厚が１０〜１０００ｎｍの範囲にあることを特徴とする請求項１５乃至２４何れか記載の試料検査方法。
【請求項２６】
前記一次線は電子線又はイオンビームであり、前記二次的信号は、反射電子、二次電子、吸収電流、カソードルミネッセンス光、若しくはＸ線のうちの少なくとも一つであることを特徴とする請求項１５乃至２５何れか記載の試料検査方法。
【発明の詳細な説明】
【技術分野】
【０００１】
この発明は、膜に保持された試料に荷電粒子線等の一次線を照射して、当該試料の検査を行うことのできる試料検査装置及び試料検査方法に関する。
【背景技術】
【０００２】
生命科学や、製薬分野では、細胞に刺激（電気、化学物質、薬等）を与え、その反応を観察することが重要となっている。従来、このような観察には光学顕微鏡が用いられていたが、観察すべき重要な箇所は光学顕微鏡では観察不可能な０．１μｍ以下の微小領域であることも多い。
【０００３】
例えば、細胞間の情報伝達物質のやり取りが正常に行えなくなることに起因する病気に高血圧症、尿崩症、不整脈、筋肉疾患、糖尿病、うつ病等がある。この細胞間の物質のやり取りは細胞膜にある１０ｎｍ程度の大きさの膜蛋白分子（リセプターやイオンチャンネル等）により行われる。このような膜蛋白分子は、光学顕微鏡では観察困難である為、分解能の高い走査型電子顕微鏡（以下、「ＳＥＭ」という）を用いた観察が望まれていた。
しかし、ＳＥＭの構成を備える検査装置において、検査対象となる試料は、通常、真空引きにより減圧された試料室内に配置される。そして、このように減圧雰囲気とされた試料室内に配置された試料に電子線（荷電粒子線）が照射され、当該照射により試料から発生する二次電子や反射電子（後方散乱電子）等の二次的信号が検出される。
【０００４】
このようなＳＥＭによる試料検査では、試料が減圧雰囲気に晒されることとなる。よって、試料から水分が蒸発して細胞が死んでしまい、刺激に対する反応を観察することは不可能であった。
【０００５】
従って、試料に水分が含まれた状態で検査を行う際には、試料から水分が蒸発しないように、試料を減圧雰囲気に晒されることがないようにする必要がある。このように試料が減圧雰囲気に晒されることなくＳＥＭを用いて検査を行う例の一つとして、膜により開口（アパーチャ）が密封された試料容器（サンプルチャンバ）の内部に試料を配置し、減圧雰囲気とされたＳＥＭの試料室内に、この試料容器を設置する手法が考えられている。
【０００６】
ここで、試料が配置される試料容器の内部は減圧されない。そして、試料容器に形成された当該開口を覆う膜は、ＳＥＭの試料室内の減圧雰囲気と試料容器内部の減圧されていない雰囲気（例えば、大気圧雰囲気）との間の圧力差に耐えられるとともに、電子線が透過するものとなっている（特許文献１参照）。
【０００７】
試料検査を行う際には、減圧雰囲気とされたＳＥＭの試料室内に配置された試料容器の当該膜を介して、試料容器の外部から試料容器内の試料に電子線が照射される。電子線が照射された試料からは反射電子が発生し、この反射電子は試料容器の当該膜を通過して、ＳＥＭの試料室内に設けられた反射電子検出器によって検出される。これにより、ＳＥＭによる像（ＳＥＭ像）が取得されることとなる。しかしながら、この発明では試料は閉じた空間内に封入させるので、マニピュレータを用いて細胞に刺激を与えることは不可能であった。
【０００８】
なお、このように真空と大気圧との圧力差に耐えられる膜を介して試料に電子線を照射し、試料から発生する反射電子を検出してＳＥＭ像を取得する例は、非特許文献１（当該文献のChapter1 Introduction）にも記載されている。
【０００９】
また、このような膜を対向して設置して一対の膜を構成し、該一対の膜の間に試料を配置して透過型電子顕微鏡による像を取得する例は、特許文献２及び特許文献３に記載されている。特に、特許文献２には、このような一対の膜を利用して、その間に配置された試料のＳＥＭ像を取得する場合についても述べられている。
【００１０】
【特許文献１】特表２００４−５１５０４９号公報
【特許文献２】特開昭４７−２４９６１号公報
【特許文献３】特開平６−３１８４４５号公報
【非特許文献１】「Atmospheric scanning electron microscopy」 Green, Evan Drake Harriman, Ph.D., Stanford University, 1993
【発明の開示】
【発明が解決しようとする課題】
【００１１】
マニピュレータを用いて細胞に刺激を与えた後の細胞の反応に基づいて生ずる構造変化は、細胞内の微小領域で生じる為、光学顕微鏡では観察不可能でＳＥＭによる観察が必須となる。液体を保持したまま細胞をＳＥＭで観察する為には、試料（細胞）を試料容器に封入し、試料容器に形成された膜を介して電子線を試料に照射することで像を得ていた。しかし、上述した試料容器では、容器内部は閉じた空間である為、刺激を与える為のマニピュレータを用いることが不可能であった。
【００１２】
そこで、開放されている試料容器を用い、この試料容器に形成されている膜を介して電子線が照射できるようにすることでＳＥＭによる観察ができるとともに、開放側に配置されたマニピュレータにより試料に対して刺激を与えることができるようにすることが考えられている。
【００１３】
このとき、マニピュレータの先端部が試料容器の膜に接触し、かつ当該先端部により膜に不要な外力が印加されると、膜の損傷を引き起こすこととなる。この結果、膜が破壊されると、ＳＥＭによる観察中に膜上の試料がＳＥＭ装置内部に漏れ出して拡散することとなり、装置の汚染が発生する。
【００１４】
本発明は、このような点に鑑みてなされたものであり、マニピュレータにより試料に対して刺激を与え、さらに膜を介して一次線を照射して試料の検査を行う際に、マニピュレータにより膜が破損されることのない試料検査装置及び試料検査方法を提供することを目的とする。
【課題を解決するための手段】
【００１５】
本発明に基づく第１の試料検査装置は、膜を介して試料に一次線を照射する一次線照射手段と、該一次線の照射に応じて該試料から発生する二次的信号を検出する信号検出手段と、該試料に接近又は接触可能な先端部を具備するマニピュレータと、該膜の位置を測定する測定手段と、該一次線照射手段、該信号検出手段、該マニピュレータ及び該測定手段の各動作を制御する制御手段とを有し、該測定手段による測定結果に基づいて、該マニピュレータの先端部による該膜への接触の回避、又は当該接触時における該マニピュレータの動作制限が行われるように該制御手段が該マニピュレータの動作を制御することを特徴とする。
【００１６】
本発明に基づく第２の試料検査装置は、第１の面に試料が保持される膜と、該膜の第２の面に接する雰囲気を減圧する真空室と、該真空室に接続され、該膜を介して該試料に一次線を照射する一次線照射手段と、該一次線の照射に応じて該試料から発生する二次的信号を検出する信号検出手段と、該試料に接近又は接触可能な先端部を具備するマニピュレータと、該膜の位置を測定する測定手段と、該一次線照射手段、該信号検出手段、該マニピュレータ及び該測定手段の各動作を制御する制御手段とを有し、該測定手段による測定結果に基づいて、該マニピュレータの先端部による該膜への接触の回避、又は当該接触時における該マニピュレータの動作制限が行われるように該制御手段が該マニピュレータの動作を制御することを特徴とする。
【００１７】
本発明に基づく第３の試料検査装置は、膜を介して試料に一次線を照射する一次線照射手段と、該一次線の照射に応じて該試料から発生する二次的信号を検出する信号検出手段と、該試料に接近又は接触可能な先端部を具備するマニピュレータと、該マニピュレータの先端部と該膜との間における電気的物理量（電圧値、電流値又は抵抗値）の検出を行う検出手段と、該一次線照射手段、該信号検出手段、該マニピュレータ及び該検出手段の各動作を制御する制御手段とを有し、該測定手段による測定結果に基づいて、該マニピュレータの先端部による該膜への接触の回避、又は当該接触時における該マニピュレータの動作制限が行われるように該制御手段が該マニピュレータの動作を制御することを特徴とする。
【００１８】
本発明に基づく第４の試料検査装置は、第１の面に試料が保持される膜と、該膜の第２の面に接する雰囲気を減圧する真空室と、該真空室に接続され、該膜を介して該試料に一次線を照射する一次線照射手段と、該一次線の照射に応じて該試料から発生する二次的信号を検出する信号検出手段と、該試料に接近又は接触可能な先端部を具備するマニピュレータと、該マニピュレータの先端部と該膜との間における電気的物理量（電圧値、電流値又は抵抗値）の検出を行う検出手段と、該一次線照射手段、該信号検出手段、該マニピュレータ及び該検出手段の各動作を制御する制御手段とを有し、該検出手段による検出結果に基づいて、該マニピュレータの先端部による該膜への接触の回避、又は当該接触時における該マニピュレータの動作制限が行われるように該制御手段が該マニピュレータの動作を制御することを特徴とする。
【００１９】
本発明に基づく第１の試料検査方法は、上記何れか記載の試料検査装置を用いて試料の検査を行うことを特徴とする。
【００２０】
本発明に基づく第２の試料検査方法は、膜を介して試料に一次線を照射する工程と、該一次線の照射に応じて該試料から発生する二次的信号を検出する工程と、マニピュレータの先端部を該試料に接近又は接触させる工程とを有する試料検査方法であって、該膜の位置を測定し、該測定の測定結果に基づいて、該マニピュレータの先端部による該膜への接触の回避、又は当該接触時における該マニピュレータの動作制限が行われるように該マニピュレータの動作を制御することを特徴とする。
【００２１】
本発明に基づく第３の試料検査方法は、膜の第１の面に試料を保持させる工程と、該膜の第２の面に接する雰囲気を減圧する工程と、該膜を介して該試料に一次線を照射する工程と、該一次線の照射に応じて該試料から発生する二次的信号を検出する工程と、マニピュレータの先端部を該試料に接近又は接触させる工程とを有する試料検査方法であって、該膜の位置を測定し、該測定の測定結果に基づいて、該マニピュレータの先端部による該膜への接触の回避、又は当該接触時における該マニピュレータの動作制限が行われるように該マニピュレータの動作を制御することを特徴とする。
【００２２】
本発明に基づく第４の試料検査方法は、膜を介して試料に一次線を照射する工程と、該一次線の照射に応じて該試料から発生する二次的信号を検出する工程と、マニピュレータの先端部を該試料に接近又は接触させる工程とを有する試料検査方法であって、該マニピュレータの先端部と該膜との間における電気的物理量（電圧値、電流値又は抵抗値）の検出を行い、該検出による検出結果に基づいて、該マニピュレータの先端部による該膜への接触の回避、又は当該接触時における該マニピュレータの動作制限が行われるように該マニピュレータの動作を制御することを特徴とする。
【００２３】
本発明に基づく第５の試料検査方法は、膜の第１の面に試料を保持させる工程と、該膜の第２の面に接する雰囲気を減圧する工程と、該膜を介して該試料に一次線を照射する工程と、該一次線の照射に応じて該試料から発生する二次的信号を検出する工程と、マニピュレータの先端部を該試料に接近又は接触させる工程とを有する試料検査方法であって、該マニピュレータの先端部と該膜との間における電気的物理量（電圧値、電流値又は抵抗値）の検出を行い、該検出による検出結果に基づいて、該マニピュレータの先端部による該膜への接触の回避、又は当該接触時における該マニピュレータの動作制限が行われるように該マニピュレータの動作を制御することを特徴とする。
【００２４】
ここで、膜と一次線照射手段との間の空間を仕切るための開閉バルブ手段を設け、マニピュレータの先端部が膜に接触した場合若しくは接触する直前に、該開閉バルブ手段を閉じるようにすることもできる。
【発明の効果】
【００２５】
本発明においては、膜の位置の測定結果又はマニピュレータの先端部と膜との間の電気的物理量の検出結果に基づいて、該マニピュレータの先端部による該膜への接触の回避、又は当該接触時における該マニピュレータの動作制限が行われるようにマニピュレータの動作が制御される。
【００２６】
これにより、マニピュレータの先端部による膜への接触の防止又は当該接触時におけるマニピュレータの先端部による膜への不要な外力印加の防止を行うことができ、マニピュレータの動作に起因する膜の損傷の発生を確実に防止することができる。
【００２７】
この結果、ＳＥＭによる膜上の試料の観察・検査時に、マニピュレータによって膜が破壊されることを確実に防ぐことができ、試料の拡散による装置汚染を防止することができる。
【００２８】
また、上記開閉バルブを設けることにより、マニピュレータの先端部が膜に接触した場合若しくは接触する直前に、膜と一次線照射手段との間の空間を仕切ることができるので、仮に膜の破壊が発生した場合でも装置の汚染を防止することができる。
【発明を実施するための最良の形態】
【００２９】
以下、図面を参照して、本発明における実施の形態について説明する。
【実施例１】
【００３０】
図１は、本発明における検査装置の第１実施例を示す概略構成図である。この図において、一次線照射手段である鏡筒１には、電子銃（電子源）２が配置されている。電子銃２から加速された状態で放出された一次線としての電子線（荷電粒子線）７は、集束レンズ（対物レンズ）３により集束される。
【００３１】
これにより集束された電子線７は、試料保持体１８を構成する試料保持膜３２に保持された試料２０に、該試料保持膜３２を介して照射される。このとき、電子線７は図示しない偏向手段により偏向され、これにより電子線７は当該試料２０を走査する。なお、鏡筒１の先端側は真空室１１に接続されている。また、電子銃２が設けられた鏡筒１の基端側は真空室１１の下方に位置している。試料保持膜３２の上面（第１の面）３２ａには試料２０が配置（保持）され、また、試料保持膜３２の下面（第２の面）に接する雰囲気は真空室１１により減圧される。
【００３２】
電子銃２から放出された電子線７は、鏡筒１内を上方向に進み、鏡筒１の先端に設けられた開口１ａを介して真空室１１内の空間、及び試料保持膜３２を通過後、試料２０に到達する。このように、この鏡筒１は、一次線照射手段を構成し、本実施例では倒立型鏡筒となっている。真空室１１内であって鏡筒１の先端側には、反射電子検出器（信号検出手段）４が設けられている。反射電子検出器４は、例えばPN接合を利用した半導体型検出器やYAG結晶を用いたシンチレータ型検出器が用いられる。
【００３３】
鏡筒１内は排気手段８により真空引きされて、所定の圧力（例えば、１０−４〜１０−５Ｐａ）まで減圧される。また、真空室１１内は、図示しない排気手段により真空引きされ、これにより所定の圧力（例えば、１０−３〜１０−４Ｐａ）まで減圧される。ここで、真空室１１は、除振装置１３を介して、架台１０に載置されている。
【００３４】
真空室１１の上部には、試料保持体載置部１２が設けられている。試料保持体載置部１２には、電子線７が通過するための孔１２ａが形成されている。この試料保持体載置部１２には、Ｏリング（図示せず）を介して、試料保持体１８が載置されている。これにより、試料保持体１８は真空室１１に着脱自在に支持される。また、０．５ｍｍ程度であれば真空室１１が真空の状態であっても水平方向に移動も可能であり、光学顕微鏡像やＳＥＭ像に対して試料２０の位置調整を行うことが出来る。
【００３５】
真空室１１の上側部分には、開閉バルブ１４が設置されている。この開閉バルブ１４は、真空室１１内において、試料保持体１８の試料保持膜３２と鏡筒（一次線照射手段）１の先端部との間の空間１９を仕切るためのものである。図１は、開閉バルブ１４が開かれた状態である。開閉バルブ１４を閉じると、図２のように真空室１１内の当該空間１９が仕切られることとなる。
【００３６】
このように開閉バルブ１４により仕切られた当該空間１９が仕切られることにより、開閉バルブ１４と試料保持膜３２との間において密閉された空間部１９ａが形成される。この空間部１９ａは、開閉バルブ１４を境として試料保持体１８側に位置する空間となる。
【００３７】
当該空間部１９ａに連通して排気手段（減圧手段）９が設けられている。この排気手段９は、当該空間部１９ａを個別に排気できる。また、当該空間部１９ａには、図示しないガス供給手段が接続されている。このガス供給手段は、窒素やエアー等のガスを当該空間部１９ａに供給し、この空間部１９ａ内を減圧状態から常圧（大気圧）状態に復帰させる。これにより、当該空間部１９ａは、独立して減圧状態からの常圧復帰が可能となる。
【００３８】
さらに、当該空間部１９ａには、図示しない洗浄手段が接続されている。この洗浄手段は、当該空間部１９ａ内に洗浄剤を供給し、当該空間部１９ａを洗浄する。これにより、当該空間部１９ａを構成する壁面は洗浄される。
【００３９】
このとき使用される洗浄剤としては、洗剤、エタノール、アルコール、アセトン、過酸化水素水の少なくとも一つからなる洗浄液、又はこれらの物質の蒸気を使用できる。当該空間部１９ａに供給された洗浄剤は、この空間部１９ａの洗浄を実施後、排出管１５により該空間部１９ａから排出される。排出管１５には、開閉弁１６が設けられている。この開閉弁１６が開放されることにより、洗浄剤は排出管１５を介して外部に排出される。なお、後述する試料の検査を実行する際には、開閉弁１６は閉じられる。
【００４０】
また、上記洗浄剤を用いずに、当該空間部１９ａに紫外光を照射することにより、当該空間部１９ａの殺菌を行うこともできる。
【００４１】
試料保持体１８は、図３（Ｂ）のように試料保持膜３２を備えている。この試料保持膜３２の第１の面３２ａ（図３（Ｂ）では下面、図１では上面）は露出されている。この試料保持膜３２の第１の面３２ａ上には、液体を含んだ試料２０が供給される。第一の面３２ａは大気圧下（大気圧雰囲気）にあるので水分の蒸発を極力抑えることができる。また、試料保持体１８は、試料保持膜３２の第２の面３２ｂ（図３（Ｂ）では上面、図１では下面）に設けられた本体部３４を備えている。
【００４２】
本体部３４の中央には開口３４ａが形成されており、試料保持膜３２における第２の面３２ｂの中央部は該開口３４ａを介して真空室１１の内部雰囲気に露出されている。また、試料保持膜３２は、第一の面３２ａが大気圧雰囲気に、第二の面３２ｂが真空雰囲気に晒されることとなるので、この圧力差に耐える為に、必要に応じて格子３５で補強されている。
【００４３】
次に、試料保持体１８の作成方法について説明する。
【００４４】
まず、図３（Ａ）に示すように、シリコン層３３と、該シリコン層３３の一方の面（同図では下面）に設けられた窒化シリコン膜３６とを有する基板を用意する。このとき窒化シリコン膜３６の第１の面（同図では下面）は露出されており、窒化シリコン膜３６の第２の面はシリコン層３３に覆われている。シリコン層３３は、試料保持体１８の本体部３４を構成することとなる。また、窒化シリコン膜３６は、試料保持体１８の試料保持膜３２を構成することとなる。
【００４５】
次いで、図３（Ａ）におけるシリコン層３３の他方の面（上面）の中央部３３ａを選択的にエッチングする。これにより、シリコン層３３の中央部３３ａには、図３（Ｂ）に示すように、開口３４ａが形成される。これにより、窒化シリコン膜３６における第２の面の一部が該開口３４ａにより露出される。このとき、該開口３４ａ内において、窒化シリコン膜３６の補強のため、複数のシリコンの柱３５を残しておく。窒化シリコン膜３６が十分な強度を持つ場合、当該柱３５は必要ない。
【００４６】
該開口３４ａ内で、当該柱３５が設けられていない部分では、窒化シリコン膜３６の第２の面が露出されている。窒化シリコン膜３６は試料保持体１８の試料保持膜３２を構成し、シリコン窒化膜３６の第２の面は試料保持膜３２の第２の面３２ｂに対応する。これにより、試料保持体１８が作成される。
【００４７】
このようにして作成された試料保持体１８は、図３（Ｂ）の状態から上下反転され、試料保持膜３２である窒化シリコン膜３６の第１の面を上面とする。この窒化シリコン膜３６の上面である第１の面は、試料保持体１８における試料保持面３２の第１の面３２ａとなる。なお、第２の面３２ｂを上面にすることも可能である。
【００４８】
ここで、窒化シリコン膜３６の厚みは、１０〜１０００ｎｍの範囲に設定される。なお、試料保持体１８の試料保持膜３２として用いられる膜としては、窒化シリコン膜の他に、酸化シリコン、窒化ボロン、ポリマー、ポリエチレン、ポリイミド、ポリプロピレン、若しくはカーボンからなる膜を用いても良い。これらの膜を用いた場合でも、その膜厚は１０〜１０００ｎｍに設定される。上述した素材からなる試料保持膜３２は、電子線７が透過するが気体や液体は透過しないものとなる。さらに、膜の両面で少なくとも一気圧の圧力差に耐えうると使い勝手が向上する。
【００４９】
なお、このような試料保持膜３２は、その厚さが薄ければ電子線７の散乱が少なくなるので分解能が向上するが破損しやすくなり、また、その厚さが厚くなれば電子線７の散乱が増加して分解能が低下するが破損しにくくなる。好適な膜厚としては、上記の各素材について２０〜２００ｎｍとなる。
【００５０】
次に、図１に戻って、検査装置の構成をさらに説明する。反射電子検出器４により検出された検出信号は、真空室１１の外部に配置された画像形成装置２２に送られる。画像形成装置２２は、当該検出信号に基づいて、画像データを形成する。この画像データは、ＳＥＭ画像に対応する画像データとなる。
【００５１】
当該画像データは、表示装置２３に送られる。表示装置２３は、送られた画像データに基づく画像を表示する。表示された画像は、ＳＥＭ画像となる。
【００５２】
また、画像形成装置２２により形成された画像データは、必要に応じてコンピュータ２５に送られる。コンピュータ２５は、画像処理を当該画像データに対して施すとともに、当該画像処理の結果に基づく判定を実行する。
【００５３】
ここで、鏡筒１及び真空室１１を備える電子線装置部２９（試料保持体１８より下に位置する構成部であって、真空室１１、鏡筒１及び反射電子検出器４を含む）は電子線制御部２４により制御される。
【００５４】
試料保持体載置部１２には、試料２０に刺激（電圧、化学物質、薬等による物理的又は電気的若しくは化学的作用）を与えるとともに、必要に応じて試料２０を移動させるためのマニピュレータ２６と、試料２０の観察やマニピュレータ２６の先端部の位置を確認する光学顕微鏡２７（光学像取得手段）が載置されている。これらは制御部（制御手段）２８で制御されている。ここで、マニピュレータ２６は、試料２０に接近又は接触可能な先端部を具備しており、当該先端部を介して、試料２０に刺激として上記作用が加えられることとなる。また、鏡筒１と光学顕微鏡２７とは、試料保持膜３２を間に介して対向配置されている。
【００５５】
本発明における試料検査装置は、電子線装置部２９、マニピュレータ２６、光学顕微鏡２７、電子線制御部２４、制御部２８、画像形成装置２２、及び表示装置２３を備えており、各部とコンピュータ２５が接続され、各部の情報がやり取りされることにより、本発明における試料検査システムが構成される。そして、これにより制御部２８は、鏡筒１、反射電子検出器４、マニピュレータ２６及び光学顕微鏡２７の各動作を制御することができる。
【００５６】
本装置では、試料２０にマニピュレータ２６の先端部により刺激を与える前後での試料２０の反応を、電子線装置部２９によりＳＥＭ像として取得することができる。該試料２０が反応する位置はマニピュレータ２６の先端部の近傍となり、該位置の近傍を電子線装置部２９により観察することが必要となる。
【００５７】
ここで、マニピュレータ２６の先端部は、通常の使用状態では試料保持膜３２から離間しており、試料保持膜３２を通過（透過）した電子線７は徐々に減衰して当該先端部まで到達するのが困難であり、また、たとえ到達しても当該先端部から発生する反射電子が試料保持膜３２を通過することは困難であるため、ＳＥＭ像ではその位置を確認することが出来ない。
【００５８】
そこで、マニピュレータ２６の先端部により試料２０に刺激を与えた位置の情報は、該マニピュレータ２６の先端部の位置情報に対応し、マニピュレータ２６の移動制御情報や光学顕微鏡２７により得られた光学像に基づいて取得できる。その位置情報は、制御部２８を介して電子線制御部２４に入力され、該位置を含む領域のみを照射領域として、該領域に電子線７を走査させることが可能になっている。また、光学顕微鏡２７の視野の位置情報は、制御部２８を介して電子線制御部２４に入力され、該視野の一部もしくは全てを含む領域を照射領域として、該領域に電子線７を走査させることが可能になっている。これらにより、ＳＥＭで観察したい領域を探す手間が省け、試料２０への電子線７照射量を最低限にすることができ、試料２０の電子線によるダメージを軽減することができる。
【００５９】
次に、本発明における試料検査方法について図１及び図２を用いて説明する。
【００６０】
試料保持膜３２の第一の面３２ａにフィブロネクチンやコラーゲン等の細胞接着分子を吸着させ、試料２０として神経等の細胞を試料保持膜３２の第一の面３２ａに吸着（培養）させる。細胞接着分子は細胞を試料保持膜３２の第一の面３２ａに近接させるための接着剤の役割を果たす。その後、試料保持体載置部１２に試料保持体１８を載置する。このとき、開閉バルブ１４は閉じられており、図２の状態になっている。この開閉バルブ１４と試料保持膜３２との間において密閉された空間部１９ａは、常圧である大気圧雰囲気となっている。また、真空室１１内において、開閉バルブ１４の下側に位置する空間は所定の真空状態（減圧状態）となっている。さらに、当該空間に連通する鏡筒１内は、真空排気手段８により排気されて減圧され、所定の真空状態となっている。
【００６１】
この状態で、排気手段９を用いて上記空間部１９ａを減圧して真空にする。真空にする際、大気圧状態からの急激な圧力変化による試料保持膜３２の破損を防ぐ為、図示しないニードルバルブ等を用いて１秒〜１００秒の間の時間かけて、大気圧である１気圧（１０１３２５Ｐａ）から１／２気圧〜１／１０気圧程度の圧力（５０ｋＰａ〜１０ｋＰａ）にまで減圧する。この工程で、試料保持体１８の試料保持膜３２が破壊されないことの確認を行う。
【００６２】
上記工程により試料保持膜３２の破壊がないことの確認をした後、光学顕微鏡２７で神経細胞とマニピュレータ２６の位置を確認する。マニピュレータ２６の先端部には微小電極と微小管が設置してあり、微小電極により電圧の印加が、微小管により液体の流出（供給）及流入（排出）が可能になっている。また、マニピュレータ２６の移動により、当該先端部は、試料２０である神経細胞に対して接近又は接触が可能となっている。
【００６３】
光学顕微鏡２７で光を試料２０に照射して観察しながら神経細胞とガラス微小電極が近接するようにマニピュレータ２６を移動させる。その後、マニピュレータ２６の先端部の微小管に負の圧力を掛けて細胞膜と密着させる。これにより、電位応答が測定可能になる。
【００６４】
当該空間部１９ａが減圧（真空）状態において、試料２０が載置された試料保持膜３２が破壊されないことを確認した後、開閉バルブ１４を開ける。これにより、真空室１１内の空間の仕切りが解除され、真空室１１内の下側の空間と当該空間部１９ａとが連通される。その後、光が試料保持膜３２を介して反射電子検出器４に入射しないようにする為に、光学顕微鏡の光の照射を止め、図示しない遮蔽手段により他の外光の遮蔽を行う。この遮蔽は、試料保持体１８や試料２０に電子線７が照射した際に発生する放射線防護の役目も果たしている。
【００６５】
次に、図１のように鏡筒１から電子線７を試料２０に向けて照射して撮像を行う。電子線７は試料保持体１８の試料保持膜３２を透過して試料２０に照射され、当該照射に基づいて試料２０から発生する反射電子（後方散乱電子）は反射電子検出器４で検出される。反射電子検出器４からの検出信号は、画像形成装置２２に送られる。画像形成装置２２は、当該検出信号に基づいて、画像データを形成する。この画像データに基づいて、表示装置２３が画像（ＳＥＭ画像）を表示する。このときの画像データは、マニピュレータ２６により試料２０に印加される後述の刺激を加える前における第１の情報として取得されて、コンピュータ２５の記憶領域に記憶される。
【００６６】
このとき、マニピュレータ２６により試料（神経細胞）２０に刺激を与えることとなる位置の情報は、マニピュレータ２６の移動情報等に基づいて求められ、制御部２８を介して電子線制御部２４に入力されている。したがって、該位置、すなわち試料２０に刺激を加える位置を含む領域のみに電子線７を走査させることが可能で、観察すべき領域を探す手間が省け電子線７の照射による試料ダメージも低減させることができる。
【００６７】
該領域は、観察すべき細胞の大きさが数十μｍであるので、例えば２００μｍ四方（２００μｍ×２００μｍ）にすると、細胞の刺激に対する反応の生ずる領域を確実に視野内に収めることが可能になる。なお、検査対象（観察対象）の大きさに応じて該領域を設定すればよく、２００μｍ以下に設定することができる。
【００６８】
上述のようにして第１の情報を取得した後、神経細胞である試料２０にマニピュレータ２６の先端部に設置してある微小電極を用いて電気刺激を加え、上記のごとく試料２０に刺激を加える位置を含む領域のみに電子線７を走査させて、試料２０のＳＥＭ画像を取得し、刺激に対する試料２０の応答性を確認することができる。このときの電子線７の走査領域の位置は、マニピュレータ２６により試料２０に刺激を与えた位置情報に基づいて決定され、該走査領域の範囲は２００μｍ四方又はそれ以下に設定される。
【００６９】
このとき取得される画像データは、電気刺激の印加後での第２の情報となる。この第２の情報もコンピュータ２５の記憶領域に記憶される。コンピュータ２５は、上述した第１の情報とこの第２の情報とを対比することにより、該細胞の応答性等を詳細に確認することができる。
【００７０】
マニピュレータ２６の先端部には、化学物質や薬物を散布可能な機構を設置することができ、ＳＥＭで細胞を観察しながら化学物質や薬物に対する細胞の挙動を観察することができる。また、マニピュレータ２６には、液体の流出機能を設置することもでき、これにより散布した物質の回収も可能になる。
【００７１】
マニピュレータ２６の操作において、マニピュレータ２６の先端部が試料保持膜３２に接触し、さらに当該先端部により試料保持膜３２に不要な外力が印加されると、試料保持膜３２に損傷を与える場合がある。このような場合には、試料保持膜３２の破壊を誘発することとなる。試料保持膜３２が破壊されると、試料保持膜３２に保持されている試料２０が真空室１１内及び鏡筒１内に漏れ出して拡散することとなり、装置内部が汚染されてしまう。
【００７２】
よって、本発明においては、マニピュレータ２６の操作において、マニピュレータ２６の先端部が試料保持膜３２に接触しないように（すなわち、当該先端部と試料保持膜３２との接触を回避するように）、マニピュレータ２６の動作制御を制御部２８により実行している。これにより、マニピュレータ２６の先端部によって試料保持膜２６に損傷を与えることがないので、マニピュレータ２６の操作に起因する試料保持膜２６の破壊を防止することができる。
【００７３】
上記目的を達成するため、本発明では、第１の手法として、試料保持膜３２の位置情報（Ｚ方向（垂直方向）での位置情報）を、光学顕微鏡２７又はレーザー測定装置（図示せず）からなる測定手段を用いて測定し、この測定による測定結果（位置情報）は制御部２８に送られる。
【００７４】
また、これと同時に、マニピュレータ２６の先端部の位置情報（Ｚ方向での位置情報）を、マニピュレータ２６の移動制御情報に基づいて制御部２８が求める。そして、試料保持膜３２とマニピュレータ２６の先端部のＺ方向位置が重ならないように、制御部２８がマニピュレータ２６の動作を制御する。
【００７５】
具体的には、マニピュレータ２６の先端部が試料保持膜３２に近づいて、該先端部と試料保持膜３２との間隔（Ｚ方向での間隔）の距離（間隔距離）が短くなり、この間隔距離が、マージンとして設定された所定距離に達したときに、制御部２８が、少なくともＺ方向での動作を停止するようにマニピュレータ２６の動作制限を行うようにする。また、このときに制御部２８が、マニピュレータ２６の当該動作制限に代えて又はこれに加えて、警報を発するようにしてもよい。
【００７６】
なお、当該間隔距離が所定距離以下に到達したときに、制御部２８が、マニピュレータ２６の当該動作制限又はこれに加えて警報を発するようにしてもよい。すなわち、当該間隔距離が所定以下に達して、マニピュレータ２６の先端部が試料保持膜３２に接触する時点で、制御部２８が、マニピュレータ２６の当該動作制限又はこれに加えて警報を発するようにすることもできる。この場合は、マニピュレータ２６の先端部２８が膜３２に接触することとなるが、この時点でマニピュレータ２６の動作が制限されるので、当該先端部による試料保持膜３２への不要な外力の印加を防止することができる。
【００７７】
さらに、第２の手法としては、電圧印加手段（図示せず）により、マニピュレータ２６の先端部と試料保持膜３２との間に電圧を印加しておき、該先端部と試料保持膜３２との間における電圧値、電流値又は抵抗値等の電気的物理量の検出を検出手段（図示せず）により行う。この検出手段による検出結果は、制御部２８に送られる。制御部２８は、該検出手段による検出結果に基づいて、マニピュレータ２６の先端部が試料保持膜３２に接触することがないようにマニピュレータ２６の動作の制御を行う。
【００７８】
制御部２８は、該検出結果に基づいて、マニピュレータ２６の先端部が試料保持膜３２との間隔距離が所定距離に達したと判断したときに、少なくともＺ方向での動作を停止するようにマニピュレータ２６の制御を行うようにする。また、このときに制御部２８が、マニピュレータ２６の当該動作制限に代えて又はこれに加えて警報を発するようにしてもよい。
【００７９】
なお、上述と同様に、当該間隔距離が所定距離以下に到達したときに、制御部２８が、マニピュレータ２６の当該動作制限又はこれに加えて警報を発するようにしてもよい。特に、マニピュレータ２６の先端部２８が膜３２に接触したときには、この時点でマニピュレータ２６の動作が制限されるので、当該先端部による試料保持膜３２への不要な外力の印加を防止することができる。ここで、当該先端部と試料保持膜３２との接触は、これらの間の電圧変化、電流変化若しくは抵抗変化の検出により検知することができる。
【００８０】
さらに上記第１及び第２の手法において、マニピュレータ２６の当該動作制限又は警報の発信に加えて、開閉バルブ１４を閉じるようにすることもできる。
【００８１】
これら方法により、試料保持膜２６の破壊を防止でき、仮に試料保持膜２６が破壊された場合でも鏡筒１を含む装置の汚染を防ぐことが出来る。
【００８２】
本実施例では、試料２０を試料保持膜３２に吸着させる為に、フィブロネクチンを用いているが、それ以外にもポリLリジンやコラーゲンを用いても良い。
【００８３】
上記において、像（ＳＥＭ像）を形成するために検出される電子として、反射電子を用いている。反射電子は原子番号に比例した信号強度を持つ。その為、生物試料のようにほぼ全体が低原子番号の物質で構成されている場合、像のコントラストが非常に弱く、分解能を向上させることが困難である。そこで、細胞の挙動で注目すべき部位に、金などの重金属を吸着させると良い。具体的には、該部位（抗原）に吸着する性質を持つ金粒子を標識した抗体を細胞に散布することで、抗原抗体反応を利用して、その部位（抗原）に該抗体を介して金を吸着させる。また、予め、電子線が照射されると発光する蛍光物質（蛍光色素や量子ドット（例えばSiのナノ粒子））を細胞の特定部位に吸着させ発光を光学顕微鏡で観察しても良い。
【００８４】
以上のように、本発明を用いることで、従来技術では不可能であった生きた細胞の刺激に対する反応を、ＳＥＭを用いて高分解能で観察（検査）が可能になる。
【００８５】
上記例では神経細胞を用いたが、それ以外にも副腎皮質細胞、心筋細胞、胃や腸、血管の細胞等さまざまな組織細胞を観察可能である。さらに、製薬における細胞に対する薬の反応検査システムにも応用可能である。その例を次に示す。
１．高血圧
高血圧症の人の血圧を低下させるには、血管にあるイオンチャンネル（ここではその中のカリウムチャンネル）の働きを妨げて、血管を広げる必要がある。このような効果を有する薬の開発では、薬の散布に対するカリウムチャンネルの反応を直接観察することが重要である。本発明を用いた観察例について示す。まず、血管の細胞（試料２０）を試料保持膜３２上に培養させる。観察すべきカリウムチャンネルの大きさは７〜９ｎｍと小さく、かつ該チャンネルを構成する原子の原子番号が小さいので、前述したように反射電子像ではコントラストが付き難く観察困難である。そこで、コントラストを向上させる為に、予め金マーカーの付いた抗体（カリウムチャンネル細胞外ループに対する抗体）をカリウムチャンネル（抗原）に抗原抗体反応を利用して吸着させる。金の反射電子放出効率は高いので、カリウムチャンネルの位置をＳＥＭで観察することが容易になる。その後、該細胞にマニピュレータ２６の先端部を近接させ、薬液を散布する。薬液の散布前後において、走査させた電子線７を、試料保持膜３２を介して細胞に照射させ、発生する反射電子を検出器７で検出する。検出信号を画像形成装置２２に送り、画像表示部２３にＳＥＭ画像を表示することができる。これにより薬液に対するカリウムチャンネルの凝集を観察できる。また、カリウムチャンネルの働きと凝集との間には深い関係があることが知られており、ここで開発された方法により製薬に貢献も可能になる。
【００８６】
その他にもイオンチャンネルは不整脈、筋肉疾患など多くの病気に関係する。これら細胞を用い同様にして製薬開発に利用できる。腎臓の異常により起こる尿崩症は、尿細管にある水チャンネルが反応しなくなる為に起こが、これに対しても同様な方法で観察や製薬開発への応用が可能である。
２．糖尿病
糖尿病は、濃度が高くなった血糖を細胞内に取り込んで低下させる糖輸送体GLUT4（glucose transporter-4）の膜輸送の異常により発生する。この糖輸送体は筋肉および脂肪組織に特異的に発現しているものである。本発明を用いて、この糖輸送体に薬物を与え細胞内で起こる形状変化を観察し、糖尿病の新しい薬や治療法の発見に利用できる。まず、脂肪組織（試料２０）を試料保持膜３２上に培養させる。光学顕微鏡２７で観察しながら培養させた該細胞にマニピュレータ２６の先端部を近接させ、該マニピュレータ２６の先端部から薬液を散布する。薬液の散布前後において、走査させた電子線７を、試料保持膜３２を介して該細胞に照射し、発生する反射電子を検出器７で検出する。検出信号を画像形成装置２２に送り、画像表示部２３にＳＥＭ画像を表示することができる。これにより薬物に対する該細胞の反応を観察することができる。このようにして、糖尿病に有効な薬の開発に貢献できる。
３．インフルエンザ
インフルエンザウイルスは細胞表面のリセプターに吸着することで感染する。インフルエンザ特効薬はこの吸着を防止させるものである。従来、この吸着を直接観察することは困難であり、特効薬開発に膨大な時間を要していた。例えば、インフルエンザウイルスに蛍光マーカーをつけて、光学顕微鏡で観察する方法がある。この方法では、細胞がインフルエンザウイルスを食べる食細胞作用（感染ではない）なのか、インフルエンザが細胞に吸着した（感染）のかを区別することが出来なかった。しかし、本発明を用いれば、その区別が可能になる。まず、細胞（試料２０）を試料保持膜３２に培養させる。マニピュレータ２６先端から金粒子を標識したインフルエンザウイルスを細胞に散布する。その後、別のマニピュレータで薬液を該細胞に散布する。この状態で走査させた電子線７を、試料保持膜３２を介して該細胞に照射し、発生する反射電子を検出器７で検出する。検出信号を画像形成装置２２に送り、画像表示部２３にＳＥＭ画像を表示することができる。この画像により、インフルエンザの細胞への吸着具合を確認することができる。薬が有効な場合には、インフルエンザの細胞への吸着が無いことを確認することができる。また、細胞がインフルエンザを食べた場合（食細胞作用）でも、分解能が高いＳＥＭ画像が得られており、インフルエンザウイルスと細胞の位置確認が可能で感染と食細胞作用の区別ができる。このようにして、インフルエンザの特効薬開発に貢献できる。
４．うつ病
うつ病は神経細胞からの神経間伝達物質の分泌が不調になることが原因である。神経間伝達物質の分泌は、細胞膜内側の電位がCa（２＋）イオン（＋２価のカルシウムイオン）が流入することで＋側に変化することで細胞内にある小胞が細胞膜と融合することにより生じている。従って、細胞（試料２０）を試料保持膜３２に培養させ、マニピュレータ２６の先端部を細胞に近接させ、該マニピュレータを用いて細胞に電気刺激を加えながらＳＥＭで観察する。これにより、細胞内小胞の挙動を解明できる。また、膜蛋白質に作用する薬品を散布し、その変化等も観察することで製薬開発に貢献できる。このような神経間伝達物質の分泌や、それ以外にも伝達物質放出の異常は、様々な病気に関連し、医学や製薬開発に貴重な情報となる。
【００８７】
上記実施例において、通常用いられる金マーカーは１０〜３０ｎｍの粒径である。しかし、抗体と金マーカーとの吸着力が弱く、１０〜３０ｎｍの金マーカーを付けられないこともある。その場合には、まず粒径数ｎｍと非常に小さな金（ナノゴールド）を抗体に付ける。このままでは金が小さすぎ、ＳＥＭでの観察は困難であるが、銀増感を利用して該金の周りに銀を吸着させることで、ＳＥＭで検出し易くする方法を用いても良い。
【００８８】
さらに、上記画像形成装置２２により形成された画像データに基づいて、コンピュータ２５が画像処理し、形状等の特徴の抽出を行い、当該画像処理によって明らかになった特徴（形状）と、予め用意された薬が有効であった場合の細胞形状のデーターベースと比較することによって、病気に効果のある薬を選別する検査システムを構成することができる。
【実施例２】
【００８９】
試料保持膜３２の耐性が十分である場合には、開閉バルブ１４を省略した図４のような検査装置を用いることもできる。装置の構造が簡単になり、装置の価格を下げることができる。また、試料と鏡体１の距離（ワーキングディスタンス）を縮めることができ、分解能の向上や、反射電子の検出効率の向上につながり、より高画質な像の撮影が可能になる。
【実施例３】
【００９０】
図５のように真空室１１において、開閉バルブ１４と試料保持体載置部１２との間に、蛇腹構造を備える移動駆動手段１７を設ける。これにより、試料保持体１８及びこれに備えられた試料保持膜３２が、光学顕微鏡２７および鏡筒１とは独立に垂直方向及び水平方向に移動可能となる。したがって、電子線７の照射が可能な領域と試料２０の観察領域の位置が大きくずれた場合であっても、試料保持体１８を移動させることによって該観察領域に該照射領域を重ねることが可能になる。
【００９１】
さらに、光学顕微鏡２７の光軸と鏡筒１の光軸とを５０μｍ以下の範囲内で一致させる、もしくは、光学顕微鏡２７の視野中心（光学像の中心）とＳＥＭ像の視野中心（電子線７の照射領域の中心）とを５０μｍ以下の範囲内で一致させておけば、試料保持体１８を移動して光学顕微鏡２７で観察対象を確認することで、同時にＳＥＭ像もその観察対象を捉えることになり便利である。
【００９２】
観察すべき細胞の大きさは約数十μｍであるので、光軸もしくは視野中心のずれは５０μｍ以内であると便利である。この構成を用いない場合、実施例１で述べたように、光学顕微鏡２７の視野座標やマニピュレータ２６の位置情報を、制御部２８を介して電子線制御部２４に入力し、該位置を含む領域のみに電子線７を走査させればよい。
【００９３】
また、この移動駆動手段１７を用いた試料保持体１８の回転若しくは傾斜を行って検査を行うことにより、検査対象物の三次元構造も確認できる。なお、これらの場合、試料２０から発生する二次電子や反射電子を、二つ以上の検出器で検出するとさらに明確な三次元構造の確認をすることができる。
【実施例４】
【００９４】
次に、本発明における第４実施例として、試料保持膜３２の破壊発生確率を低減させる為に、図６に示すごとく、試料保持体載置部１２上に圧力調整室５０と、当該圧力調整室５０に接続される真空排気可能な圧力調整手段５１を設ける。この圧力調整室５０は、着脱可能になっている。これにより、試料保持体１８は圧力調整室５０内に位置し、試料保持膜３２の第１の面３２ａに接する雰囲気の圧力は減圧可能に調整される。また、この圧力調整室は、電子線照射に伴い発生する放射線の防護、および外部からの光の遮蔽にも用いられる。
【００９５】
このような構成の装置を用いた検査においては、まず、開閉バルブ１４は、閉じた状態になっており、この開閉バルブ１４と試料保持膜３２との間において密閉された空間部１９ａは、常圧である大気圧雰囲気となっている。このとき、圧力調整室５０は、試料保持体載置部１２上から外された状態となっている。
【００９６】
また、真空室１１内において、開閉バルブ１４の下側に位置する空間は所定の真空状態（減圧状態）となっている。さらに、当該空間に連通する鏡筒１内は、真空排気手段８により排気されて減圧され、所定の真空状態となっている。
【００９７】
この状態で、試料保持体１８の試料保持膜３２の上面３２ａに試料２０を培養（吸着）して載置した後、圧力調整室５０を試料保持体載置部１２上に配置する。これにより、試料保持体１８の試料保持膜３２上に載置された試料２０は、圧力調整室５０の内部に位置することとなる。
【００９８】
次に、上記空間部１９ａを排気手段９により真空に引くと同時に、圧力調整室５０内を圧力調整手段５１により減圧する。圧力調整室５０内の雰囲気の気圧を、例えば１／２気圧程度（約５０ｋＰａ）にすることで、当該空間部５ａと当該雰囲気との間の圧力差が低くなる。それにより、当該圧力差に起因する試料保持膜３２に加わる外力を減らし、試料保持膜３２の破損頻度を低減できる。この圧力調整室の圧力は水蒸気圧以上にすることによって試料２０に含まれる水分の蒸発を防ぐことができる。水蒸気圧を低下させる為に、必要に応じて試料２０を冷却しても良い。
【００９９】
以上、上述した各実施例１〜４において、細胞を生きた状態でＳＥＭ観察でき、さらに該細胞に刺激を与えることにより生ずる反応を検査することができる。なお、上記実施例では二次的信号として反射電子を用いたが、それ以外でも試料２０への電子線７の照射により生ずる二次電子、Ｘ線、もしくはカソードルミネッセンス光、及び試料２０への吸収電流を検出することにより、試料２０の情報を得ることが可能である。なお、吸収電流の測定はマニピュレータ２６を用いると便利である。
【０１００】
本実施例では試料保持膜３２として窒化シリコンを用いているが、この膜は少なくとも一気圧の圧力差に耐えると便利であり、気体や液体の流入出がないことを特徴とする。具体な物質として、ポリマー、ポリエチレン、ポリイミド、ポリプロピレン、カーボン、酸化シリコン、窒化シリコン、又は窒化ボロンのうちの少なくとも一つを含み、該膜の厚さが１０〜１０００ｎｍであることを特徴とする。さらに、この試料保持膜３２にアルミニウム等の軽元素金属を例えば４０ｎｍ蒸着させることによって遮光性を持たせ、反射電子検出器４に外部から光の照射を防止し、光学顕微鏡とＳＥＭとを同時に観察可能にさせることができる。
【０１０１】
また、上記各実施例においては、一次線として電子線を用いたが、試料保持膜３２が他の荷電粒子線（ヘリウムイオンビーム等）の照射に対する耐衝撃性及び強度が十分に高ければ、当該他の荷電粒子線を用いた場合でも適用可能である。本発明では倒立型ＳＥＭを用いているが、通常の正立型でも問題は無い。
【０１０２】
このように、本発明における試料検査装置は、膜３２を介して試料２０に一次線７を照射する一次線照射手段１と、一次線７の照射に応じて試料２０から発生する二次的信号を検出する信号検出手段４と、試料２０に接近又は接触可能な先端部を具備するマニピュレータ２６と、膜３２の位置を測定する測定手段と、一次線照射手段１、信号検出手段４、マニピュレータ２６及び測定手段の各動作を制御する制御手段２８とを有し、測定手段による測定結果に基づいて、マニピュレータ２６の先端部による膜３２への接触の回避、又は当該接触時におけるマニピュレータ２６の動作制限が行われるように制御手段２８がマニピュレータ２６の動作を制御することを特徴としている。
【０１０３】
また、本発明における試料検査装置は、第１の面３２ａに試料２０が保持される膜３２と、膜３２の第２の面に接する雰囲気を減圧する真空室１１と、真空室１１に接続され、膜３２を介して試料２０に一次線７を照射する一次線照射手段１と、一次線７の照射に応じて試料２０から発生する二次的信号を検出する信号検出手段４と、試料２０に接近又は接触可能な先端部を具備するマニピュレータ２６と、膜３２の位置を測定する測定手段と、一次線照射手段１、信号検出手段４、マニピュレータ２６及び測定手段の各動作を制御する制御手段２８とを有し、測定手段による測定結果に基づいて、マニピュレータ２６の先端部による膜３２への接触の回避、又は当該接触時におけるマニピュレータ２６の動作制限が行われるように制御手段２８がマニピュレータ２６の動作を制御することをも特徴としている。
【０１０４】
さらに、本発明における試料検査装置は、膜３２を介して試料２０に一次線７を照射する一次線照射手段１と、一次線７の照射に応じて試料２０から発生する二次的信号を検出する信号検出手段４と、試料２０に接近又は接触可能な先端部を具備するマニピュレータ２６と、マニピュレータ２６の先端部と膜３２との間における電気的物理量（電圧値、電流値又は抵抗値）の検出を行う検出手段と、一次線照射手段１、信号検出手段４、マニピュレータ２６及び検出手段の各動作を制御する制御手段２８とを有し、検出手段による検出結果に基づいて、マニピュレータ２６の先端部による膜３２への接触の回避、又は当該接触時におけるマニピュレータ２６の動作制限が行われるように制御手段２８がマニピュレータ２６の動作を制御することをも特徴としている。
【０１０５】
さらに、本発明における試料検査装置は、第１の面３２ａに試料２０が保持される膜３２と、膜３２の第２の面に接する雰囲気を減圧する真空室１１と、真空室１１に接続され、膜３２を介して試料２０に一次線７を照射する一次線照射手段１と、一次線７の照射に応じて試料２０から発生する二次的信号を検出する信号検出手段４と、試料２０に接近又は接触可能な先端部を具備するマニピュレータ２６と、マニピュレータ２６の先端部と膜３２との間における電気的物理量（電圧値、電流値又は抵抗値）の検出を行う検出手段と、一次線照射手段１、信号検出手段４、マニピュレータ２６及び検出手段の各動作を制御する制御手段２８とを有し、検出手段による検出結果に基づいて、マニピュレータ２６の先端部による膜３２への接触の回避、又は当該接触時におけるマニピュレータ２６の動作制限が行われるように制御手段２８がマニピュレータ２６の動作を制御することをも特徴としている。
【０１０６】
ここで、膜３２において試料２０が位置する側の面（第１の面）３２ａは、導電性を有する。また、膜３２において試料２０が位置する側の面（第１の面）３２ａは、膜３２の上面となっており、当該面の反対側の面（第２の面）が膜３２の下面となっている。
【０１０７】
さらに、上記測定手段又は上記検出手段による測定又は検出結果に基づいて、マニピュレータ２６の先端部と膜３２とが所定距離以下に接近したことを検知したときには、制御手段２８は、マニピュレータ２６の動作制限又は警報発信を行う。
【０１０８】
また、膜３２と一次線照射手段１との間の空間を仕切るための開閉バルブ手段１４をさらに備えることにより、上記測定手段又は上記検出手段による測定又は検出結果に基づいて、マニピュレータ２６の先端部と膜３２とが所定距離以下に接近したことを検知したときには、制御手段２８は、開閉バルブ手段１４を駆動して当該空間を仕切ることができる。
【０１０９】
そして、光学像取得手段２７をさらに有し、光学像取得手段２７と一次線照射手段１とは、膜３２を間に介して対向配置されており、光学像取得手段２７により膜３２の位置測定が可能となっている。
【０１１０】
また、マニピュレータ２６により、試料２０に対する接触動作又は吸引動作、試料２０への液体の供給又は排出、若しくは試料２０への電気供給のうちの少なくとも一つを行うことがきる。
【０１１１】
ここで、膜３２は、ポリマー、ポリエチレン、ポリイミド、ポリプロピレン、カーボン、酸化シリコン、窒化シリコン、若しくは窒化ボロンのうちの少なくとも一つを含み、その膜厚が１０〜１０００ｎｍの範囲に設定されている。
【０１１２】
さらに、一次線７は電子線又はイオンビームであり、二次的信号は、反射電子、二次電子、吸収電流、カソードルミネッセンス光、若しくはＸ線のうちの少なくとも一つである。
【０１１３】
また、本発明における試料検査方法は、上記試料検査装置を用いて試料の検査を行うことを特徴としている。
【０１１４】
さらに、本発明における試料検査方法は、膜３２を介して試料２０に一次線７を照射する工程と、一次線７の照射に応じて試料２０から発生する二次的信号を検出する工程と、マニピュレータ２６の先端部を試料２０に接近又は接触させる工程とを有し、膜３２の位置を測定し、該測定の測定結果に基づいて、マニピュレータ２６の先端部による膜３２への接触の回避、又は当該接触時におけるマニピュレータ２６の動作制限が行われるようにマニピュレータ２６の動作を制御することをも特徴としている。
【０１１５】
そして、本発明における試料検査方法は、膜３２の第１の面３２ａに試料２０を保持させる工程と、膜３２の第２の面に接する雰囲気を減圧する工程と、膜３２を介して試料２０に一次線７を照射する工程と、一次線７の照射に応じて試料２０から発生する二次的信号を検出する工程と、マニピュレータ２６の先端部を試料２０に接近又は接触させる工程とを有し、膜３２の位置を測定し、該測定の測定結果に基づいて、マニピュレータ２６の先端部による膜３２への接触の回避、又は当該接触時におけるマニピュレータ２６の動作制限が行われるようにマニピュレータ２６の動作を制御することをも特徴としている。ここで、光学顕微鏡２７により膜３２の位置を測定することができる。
【０１１６】
また、本発明における試料検査方法は、膜３２を介して試料２０に一次線７を照射する工程と、一次線７の照射に応じて試料２０から発生する二次的信号を検出する工程と、マニピュレータ２６の先端部を試料２０に接近又は接触させる工程とを有し、マニピュレータ２６の先端部と膜３２との間における電気的物理量（電圧値、電流値又は抵抗値）の検出を行い、該検出による検出結果に基づいて、マニピュレータ２６の先端部による膜３２への接触の回避、又は当該接触時におけるマニピュレータ２６の動作制限が行われるようにマニピュレータ２６の動作を制御することをも特徴としている。
【０１１７】
さらに、本発明における試料検査方法は、膜３２の第１の面３２ａに試料２０を保持させる工程と、膜３２の第２の面に接する雰囲気を減圧する工程と、膜３２を介して試料２０に一次線７を照射する工程と、一次線７の照射に応じて試料２０から発生する二次的信号を検出する工程と、マニピュレータ２６の先端部を試料２０に接近又は接触させる工程とを有し、マニピュレータ２６の先端部と膜３２との間における電気的物理量（電圧値、電流値又は抵抗値）の検出を行い、該検出による検出結果に基づいて、マニピュレータ２６の先端部による膜３２への接触の回避、又は当該接触時におけるマニピュレータ２６の動作制限が行われるようにマニピュレータ２６の動作を制御することをも特徴としている。ここで、膜３２において試料２０が位置する側の面（第１の面）３２は導電性を有する。
【０１１８】
また、膜３２において試料２０が位置する側の面（第１の面）３２が該膜の上面となっており、当該面の反対側の面（第２の面）が膜３２の下面となっている。
【０１１９】
さらに、上記測定又は上記検出による測定又は検出結果に基づいて、マニピュレータ２６の先端部と膜３２とが所定距離以下に接近したことを検知したときには、マニピュレータ２６の動作制限又は警報発信が行われる。
【０１２０】
また、上記測定又は上記検出による測定又は検出結果に基づいて、マニピュレータ２６の先端部と膜３２とが所定距離以下に接近したことを検知したときには、膜３２と一次線照射手段１との間の空間を仕切ることができる。
【０１２１】
そして、マニピュレータ２６により、試料２０に対する接触動作又は吸引動作、試料２０への液体の供給又は排出、若しくは試料２０への電気供給のうちの少なくとも一つを行うことができる。
【０１２２】
ここで、膜３２は、ポリマー、ポリエチレン、ポリイミド、ポリプロピレン、カーボン、酸化シリコン、窒化シリコン、若しくは窒化ボロンのうちの少なくとも一つを含み、その膜厚が１０〜１０００ｎｍの範囲に設定されている。
【０１２３】
さらに、一次線７は電子線又はイオンビームであり、二次的信号は、反射電子、二次電子、吸収電流、カソードルミネッセンス光、若しくはＸ線のうちの少なくとも一つである。
【０１２４】
このように、本発明においては、膜３２の位置の測定結果又はマニピュレータ２６の先端部と膜３２との間の電気的物理量の検出結果に基づいて、マニピュレータ２６の先端部による膜３２への接触の回避、又は当該接触時におけるマニピュレータ２６の動作制限が行われるようにマニピュレータ２６の動作が制御される。
【０１２５】
これにより、マニピュレータ２６の先端部による膜３２への接触の防止又は当該接触時におけるマニピュレータ２６の先端部による膜３２への不要な外力印加の防止を行うことができ、マニピュレータ２６の動作に起因する膜３２の損傷の発生を確実に防止することができる。
【０１２６】
この結果、ＳＥＭによる膜３２上の試料２０の観察・検査時に、マニピュレータ２６によって膜３２が破壊されることがなく、試料２０の拡散による装置汚染を防ぐことができる。
【０１２７】
また、開閉バルブ１４を設けることにより、マニピュレータ２６の先端部が膜３２に接触した場合若しくは接触する直前に、膜３２と一次線照射手段１との間の空間を仕切ることができるので、仮に膜３２の破壊が発生した場合でも装置の汚染を防止することができる。
【図面の簡単な説明】
【０１２８】
【図１】本発明における試料検査装置の第１実施例を示す概略構成図である。
【図２】本発明における試料検査装置の第１実施例を示す概略構成図である。
【図３】本発明における試料保持体の作成方法を示す図である。
【図４】本発明における試料検査装置の第２実施例を示す概略構成図である。
【図５】本発明における試料検査装置の第３実施例を示す概略構成図である。
【図６】本発明における試料検査装置の第４実施例を示す概略構成図である。
【符号の説明】
【０１２９】
１…鏡筒（一次線照射手段）、２…電子銃、３…集束レンズ、４…反射電子検出器、７…電子線（一次線）、８…排気手段、９…排気手段、１０…架台、１１…真空室、１２…試料保持体載置部、１３…除震装置、１４…開閉バルブ、１５…排出管、１６…開閉弁、１７…移動駆動機構、１８…試料保持体、１９…空間、１９ａ…空間部、２０…試料、２２…画像形成装置、２３…表示装置、２４…電子線制御部、２５…コンピュータ、２６…マニピュレータ、２７…光学顕微鏡、２８…制御部（制御手段）、２９…電子線装置部、３２…試料保持膜、３２ａ…第１の面、３２ｂ…第２の面、３３…シリコン層、３３ａ…中央部、３４…本体部、３５…格子、３６…窒化シリコン膜、５０…圧力調整室、５１…圧力調整手段
【図１】
2008180521.tif 000003
【図２】
2008180521.tif 000004
【図３】
2008180521.tif 000005
【図４】
2008180521.tif 000006
【図５】
2008180521.tif 000007
【図６】
2008180521.tif 000008